(57)【要約】      （修正有）【課題】迅速に取り付け、取り外しが可能であり、動力工具に使用するエクステンションバーを提供する。【解決手段】エクステンションバーは駆動接続アッセンブリ１及び外部工具接続アッセンブリ２を備える。駆動接続アッセンブリ１は主に、第１ジョイントスリーブ１１、可動環状ソケット１２及び第１弾性部材１３を有する。可動環状ソケット１２は、中央に第１ジョイントスリーブ１１が嵌通可能な筒孔１２１が形成され、第１ジョイントスリーブ１１の軸方向の移動により第１定位ボール１１４の端縁が挿入孔１１１の反対側に突出することを抑制する。外部工具接続アッセンブリ２は主に、接続ロッド２１、第２ジョイントスリーブ２２及び第２弾性部材２３を有する。【選択図】図１
0003180745.tif 000002
【実用新案登録請求の範囲】
【請求項１】
第１ジョイントスリーブ、可動環状ソケット、及び第１弾性部材を有する駆動接続アッセンブリと、
接続ロッド、第２ジョイントスリーブ、及び第２弾性部材を有する外部工具接続アッセンブリと、を備え、
前記第１ジョイントスリーブは、軸方向に後端に形成され動力工具のビットの端部と連動可能に接続する挿入孔を有し、前記挿入孔の径方向に前記ビットの外側嵌合溝の位置に対応する第１透孔が形成され、前記第１透孔に第１定位ボールが設置され、
前記可動環状ソケットは、中央に前記第１ジョイントスリーブが貫通可能な第１筒孔を有し、前記第１ジョイントスリーブの軸方向移動に対応して前記第１定位ボールの端縁が前記挿入孔とは反対側に突出することを抑制可能であり、
前記第１弾性部材は、前記第１ジョイントスリーブの移動に対応して前記可動環状ソケットを復位させる弾力を与え、
前記可動環状ソケットが前記第１ジョイントスリーブに対して第１位置に位置する常態時に、前記第１定位ボールは前記挿入孔内に突出し、前記可動環状ソケットが軸方向に移動し前記第１ジョイントスリーブに対して第２位置に位置したとき、前記第１定位ボールが前記挿入孔とは反対側に突出し、
前記接続ロッドは、前記第１ジョイントスリーブと同軸に設置され、後段および前段を有し、前記後段は第１ジョイントスリーブの先端に固設され、前記前段の先端に第１支持部および第２支持部が径方向に形成され、
前記第２ジョイントスリーブは、先端に外部工具を嵌装可能な第１接続部が形成され、中央に前記接続ロッドが貫通する接続溝が軸方向に形成され、前記接続溝の後端および先端には前記接続ロッドの後段および前段のサイズに合わせた後溝部および前溝部が形成され、
前記前溝部は、前記第１支持部および前記第２支持部と対応する位置に第２透孔が径方向に形成され、前記第２透孔は第２定位ボールを収容し、
前記第２弾性部材は、前記第２ジョイントスリーブに前記接続ロッドに対応して復位する弾力を与え、前記第２ジョイントスリーブが前記接続ロッドに対して第３位置に位置する常態時に、前記第２定位ボールの端縁は前記第２透孔の外側に突出し、前記第２ジョイントスリーブが軸方向に移動し前記接続ロッドに対して第４位置に位置したとき前記第２定位ボールは前記第２透孔の前記前溝部側に突出することを特徴とするエクステンションバー。
【請求項２】
前記駆動接続アッセンブリは、第１当接リングおよび第２当接リングをさらに有し、
前記駆動接続アッセンブリの前記第１ジョイントスリーブの先端に第２接続部を設置し、前記第２接続部に第２筒孔が形成され、
前記第１ジョイントスリーブは、外縁に前記第１当接リングを収容する嵌合溝が形成され、
前記可動環状ソケットは、前記第１筒孔の後側の内壁に前記挿入孔側に突出し内径が前記第１当接リングの外径より小さく形成される第１ソケット内壁を有し、前記第１筒孔の前側の内壁に口径が前記第１ソケット内壁より大きい第２ソケット内壁を有し、
前記第２ソケット内壁は、前記第１定位ボールが前記挿入孔とは反対側に突出するとき前記第１定位ボール端縁を収容可能であり、
前記第２当接リングは、前記第２ソケット内壁の前方に固設され、
前記第１弾性部材は、前記第１ジョイントスリーブの外縁に環装される伸縮バネであり、両端は、それぞれ前記第１当接リングおよび前記第２当接リングに当接し、前記可動環状ソケットに弾力を与えることを特徴とする請求項１記載のエクステンションバー。
【請求項３】
前記第１透孔は、内側端部の直径が前記第１定位ボールの直径より小さく形成されることを特徴とする請求項２記載のエクステンションバー。
【請求項４】
前記駆動接続アッセンブリの前記第１ジョイントスリーブの先端に第２接続部を設置し、前記第２接続部に第２筒孔が形成され、
前記外部工具接続アッセンブリの前記接続ロッドの前記後段は、前記第１ジョイントスリーブの先端の前記第１接続部の前記第１筒孔に連動して固設され、
前記接続ロッドは、前記前段の直径が前記後段の直径より小さく形成され、前記前段と前記後段の間に第１当接壁を有し、
前記第２ジョイントスリーブは、前記第１当接壁と対向する第２当接壁を有し、
前記第２支持部は前記第１支持部より深く窪むよう形成され、
前記第２ジョイントスリーブの前記第２弾性部材は、前記第２ジョイントスリーブの前記後溝に設けられる伸縮バネであり、両端は、それぞれ前記第１当接壁および前記第２当接壁に当接し、前記第２ジョイントスリーブに弾力を与えることを特徴とする請求項１又は２に記載のエクステンションバー。
【請求項５】
前記第２透孔は、外側端部の直径が前記第２定位ボールの直径より小さく形成されることを特徴とする請求項４記載のエクステンションバー。
【考案の詳細な説明】
【技術分野】
【０００１】
本考案は、エクステンションバーに関する。
【背景技術】
【０００２】
従来の電気又はエア圧駆動の動力工具は、先端にジョイントを取り付けた駆動ロッドが設置される。駆動ロッドは、通常、ビットであり、先端のジョイントが回転すると、ビットも回転する。しかし、実際の作業時に常にスリーブ又は他の工具が必要である。よって、従来の動力工具は、エクステンションロッドを更に取付け可能であり、エクステンションロッドの両端にそれぞれ動力工具のビット及びスリーブが取り付けられ、動力工具が作動すると共に、ビット、ジョイントおよびスリーブが回転する。
【考案の概要】
【考案が解決しようとする課題】
【０００３】
しかし、動力工具は通常、高速回転をするので、エクステンションロッドの両端が、ビット又はスリーブに固く接続されていない場合、容易に脱落するおそれがある。従って、接続を固くするために、エクステンションロッドの両端とビット又はスリーブとの接続強度を向上する必要がある。しかし、接続強度が高くなることにより取付けが困難になるという問題が生じる。
【０００４】
本考案は、上述の問題に鑑みてなされたものであり、その目的は、迅速に取り付け、取り外しが可能であり、動力工具に使用するエクステンションバーを提供することにある。
【課題を解決するための手段】
【０００５】
本考案によるエクステンションバーは、第１ジョイントスリーブ、可動環状ソケット、及び第１弾性部材を有する駆動接続アッセンブリと、接続ロッド、第２ジョイントスリーブ、及び第２弾性部材を有する外部工具接続アッセンブリと、を備える。
【０００６】
第１ジョイントスリーブは、軸方向の後端に形成され動力工具のビットの端部と連動可能に接続する挿入孔を有し、挿入孔の径方向にビットの外側嵌合溝の位置に対応する第１透孔が形成され、第１透孔に第１定位ボールが設置される。
【０００７】
可動環状ソケットは、中央に第１ジョイントスリーブが貫通可能な第１筒孔を有し、第１ジョイントスリーブの軸方向移動に対応して第１定位ボールの端縁が挿入孔とは反対側に突出することを抑制する。
【０００８】
第１弾性部材は、第１ジョイントスリーブの移動に対応して可動環状ソケットを復位させる弾力を与える。可動環状ソケットが第１ジョイントスリーブに対して第１位置に位置する常態時に、第１定位ボールは挿入孔内に突出する。可動環状ソケットが軸方向に移動し第１ジョイントスリーブに対して第２位置に位置したとき、第１定位ボールが挿入孔とは反対側に突出する。
【０００９】
接続ロッドは、第１ジョイントスリーブと同軸に設置され、後段および前段を有し、後段は第１ジョイントスリーブの先端に固設され、前段の先端に第１支持部および第２支持部が径方向に形成される。
【００１０】
第２ジョイントスリーブは、先端に外部工具を嵌装可能な第１接続部が形成され、中央に接続ロッドが貫通する接続溝が軸方向に形成され、接続溝の後端および先端には接続ロッドの後段および前段のサイズに合わせた後溝部および前溝部が形成され。前溝部は、第１支持部および第２支持部と対応する位置に第２透孔が径方向に形成され、第２透孔は第２定位ボールを収容する。第２弾性部材は、第２ジョイントスリーブに接続ロッドに対応して復位する弾力を与え、第２ジョイントスリーブが接続ロッドに対して第３位置に位置する常態時に、第２定位ボールの端縁は第２透孔の外側に突出する。
第２ジョイントスリーブが軸方向に移動し接続ロッドに対して第４位置に位置したとき第２定位ボールは第２透孔の前溝部側に突出する。
【００１１】
本考案のエクステンションバーの駆動接続アッセンブリは、動力工具先端のビットに取付け、エクステンションバーの外部工具接続アッセンブリはスリーブ又はその他の工具の接続が可能である。外部スリーブを交換したい場合、外部工具接続アッセンブリの第２ジョイントスリーブを軸方向に移動させることにより、スリーブを容易にエクステンションバーから取り外せ、迅速に別のスリーブを交換することができる。又、使用者は動力工具のビットを使用しなければならない時だけ、駆動接続アッセンブリの可動環状ソケットを軸方向に移動させることにより、容易にエクステンションバーをビットから取り外せ、使用者はビットによる作業を容易に行える。
【図面の簡単な説明】
【００１２】
【図１】本考案の一実施形態によるエクステンションバーを示す分解斜視図である
【図２】本考案の一実施形態によるエクステンションバーを示す斜視図である
【図３】図２のＡ−Ａ線断面図である。
【図４】本考案の一実施形態によるエクステンションバーの断面図である。
【図５】本考案の一実施形態によるエクステンションバーの作動を示す断面図である。
【図６】本考案の一実施形態によるエクステンションバーの作動を示す断面図である。
【図７】本考案の一実施形態によるエクステンションバーの応用例を示す模式図である。
【考案を実施するための形態】
【００１３】
（一実施形態）
本発明の一実施形態によるエクステンションバーを図面に基づいて説明する。図１〜図４を参照すると、本実施形態によるエクステンションバーは駆動接続アッセンブリ１と外部工具接続アッセンブリ２を備える。
【００１４】
駆動接続アッセンブリ１は主に、第１ジョイントスリーブ１１、可動環状ソケット１２及び第１弾性部材１３を有する。第１ジョイントスリーブ１１は軸方向の後端に形成され動力工具４のビット３の端部を連動可能に接続する挿入孔１１１を有し、外部工具接続アッセンブリ２と連動可能な接続部１１２が先端に設けられる。接続部１１２は筒孔１１２１を有し、挿入孔１１１は径方向にビット３の外側嵌合溝３１の位置に対応するように第１透孔１１３を有する。第１透孔１１３には第１定位ボール１１４が収容され、第１透孔１１３の内側の端部の直径は第１定位ボール１１４の直径より小さい。そのうち、ビット３の嵌合溝３１は従来の構造であるので説明を割愛する。第１ジョイントスリーブ１１の外縁には嵌合溝１１５が形成され、第１当接リング１１６が嵌合溝１１５に収容される。
【００１５】
可動環状ソケット１２は、中央に第１ジョイントスリーブ１１が嵌通可能な筒孔１２１が形成され、筒孔１２１の後側の内壁は第１定位ボール１１４に当接し、挿入孔１１１側に突出する第１ソケット内壁１２２が形成され、第１ソケット内壁１２２の直径は第１当接リング１１６の外径より小さい。筒孔１２１の前側には第１ソケット内壁１２２より内径が大きい第２ソケット内壁１２３が形成され、第２ソケット内壁１２３は第１定位ボール１１４が挿入孔１１１に突出しないように第１定位ボール１１４の端縁を収容する。第２ソケット内壁１２３の前方には第２当接リング１２４が内設されている。第１弾性部材１３は可動環状ソケット１２に位置を復位させる弾力を与える。可動環状ソケット１２は、常態時に第１ソケット内壁１２２の位置を第１定位ボール１１４に対応させ、可動環状ソケット１２が第１ジョイントスリーブ１１の軸方向に移動したとき、第２ソケット内壁１２３を第１定位ボール１１４に対応させる。第１弾性部材１３は可動環状ソケット１２を常態の位置に回復させる。第１弾性部材１３は伸縮バネであり、第１ジョイントスリーブ１１の外縁に環装され、その両端はそれぞれ第１当接リング１１６および第２当接リング１２４に当接して可動環状ソケット１２に弾力を与える。
【００１６】
外部工具接続アッセンブリ２は主に、接続ロッド２１、第２ジョイントスリーブ２２及び第２弾性部材２３を有する。
接続ロッド２１は、第１ジョイントスリーブ１１に対応して同軸に設置され、後段２１１および前段２１２を有する。後段２１１は第１ジョイントスリーブ１１の先端の接続部１１２の筒孔１１２１に固設され、前段２１２の直径は後段２１１の直径より小さい。前段２１２と後段２１１との間には第１当接壁２１３が形成されている。前段２１２の先端は径方向に窪んだ第１支持部２１４及び第１支持部２１４より深く窪んだ第２支持部２１５が形成されている。
【００１７】
第２ジョイントスリーブ２２の先端にはスリーブ５が嵌装可能な接続部２２１が形成され、第２ジョイントスリーブ２２の中央には軸方向に接続ロッド２１が嵌通可能な接続溝２２２が形成されている。接続溝２２２の後端および先端は、それぞれ接続ロッド２１の後段２１１および前段２１２のサイズに対応する後溝部２２３および前溝部２２４を有する。後溝部２２３と前溝部２２４との間には、第２当接壁２２５が形成されている。前溝部２２４には、第１支持部２１４および第２支持部２１５の位置に対応する位置に第２透孔２２６が径方向に形成される。第２透孔２２６内には第２定位ボール２２７が収容され、第２透孔２２６の外側の端部の直径は第２定位ボール２２７の直径より小さい。第２定位ボール２２７の端縁は第２透孔２２６の外側に突出可能であり、且つ第２透孔２２６から離脱しない。
【００１８】
第２弾性部材２３は第２ジョイントスリーブ２２が接続ロッド２１に対応して復位するように弾力を与える。常態時に、接続ロッド２１の第１支持部２１４が第２定位ボール２２７に対応し、第２定位ボール２２７の端縁は第２透孔２２６の外側に突出する。第２ジョイントスリーブ２２が軸方向に移動すると、第２定位ボール２２７は、接続ロッド２１の第２支持部２１５に位置し、第２定位ボール２２７の端縁は第２透孔２２６の外側に突出しない。第２弾性部材２３は第２ジョイントスリーブ２２に復位弾力を与える。第２弾性部材２３が伸縮バネであり、第２ジョイントスリーブ２２の後溝部２２３に設けられ、両端はそれぞれ第１当接壁２１３および第２当接壁２２５に当接して第２ジョイントスリーブ２２に弾力を与える。
【００１９】
図４を参考にすると、本考案のエクステンションバーの後側の駆動接続アッセンブリ１は動力工具４の先端のビット３に取付けられ、エクステンションバーの前側の外部工具接続アッセンブリ２はスリーブ５に接続する。駆動接続アッセンブリ１の可動環状ソケット１２を操作して移動すると（図示せず）、第１ジョイントスリーブ１１の挿入孔１１１はビット３に嵌通する。可動環状ソケット１２を再度開放したとき、第１定位ボール１１４はビット３の嵌合溝３１に嵌め込まれエクステンションバーは動力工具４のビット３から離脱しないように保持される。外部工具接続アッセンブリ２の第２ジョイントスリーブ２２の先端の接続部２２１にスリーブ５が接続され、スリーブ５の係止溝５１に第２ジョイントスリーブ２２の接続部２２１が嵌装されると第２定位ボール２２７は、スリーブ５の嵌合溝５２に嵌め込まれ、スリーブ５はエクステンションバーから離脱しないように保持される。スリーブ５の係止溝５１、嵌合溝５２は周知の構造であるので、詳細な説明を割愛する。動力工具４が作動すると、ビット３によりエクステンションバー及び外部スリーブ５を回転させる。
【００２０】
図５を参照すると、使用者は異なるサイズの外部スリーブ５を交換する場合、外部工具接続アッセンブリ２の第２ジョイントスリーブ２２を軸方向に移動することで第２弾性部材２３を圧縮し、第２定位ボール２２７を接続ロッド２１の第２支持部２１５の位置に位置させ、第２定位ボール２２７の外縁がスリーブ５の嵌合溝５２と接続しないようにする。すると、スリーブ５がエクステンションバーから容易に離脱することができ、別のサイズのスリーブ５を迅速に交換することができ、交換後、第２弾性部材２３の回復弾力により第２ジョイントスリーブ２２が復位し、図４に示すように第１支持部２１４により第２定位ボール２２７の外縁が第２透孔２２６の外側に突出し定位する。
【００２１】
図６、７を参照すると、使用者は、動力工具４のビット３を使用する時のみ、駆動接続アッセンブリ１の可動環状ソケット１２を軸方向に移動させ、第１弾性部材１３を圧縮する。このとき、第１定位ボール１１４がビット３の嵌合溝３１に嵌め込まないので、エクステンションバーはビット３から容易に脱離することができ、使用者はビット３で作業を容易に行うことができる。
【００２２】
以上より、本実施形態のエクステンションバーは、双方向において、エクステンションバーと外部スリーブ５又は動力工具４のビット３の取り付け、取り外しを迅速に行うことができる。よって、操作が簡単で、優れた取り付け後の安定効果を有する。
本考案は、上述した実施形態に限定されるものではなく、考案の趣旨を逸脱しない範囲で種々の形態で実施可能である。
【符号の説明】
【００２３】
１・・・駆動接続アッセンブリ、      
１１・・・第１ジョイントスリーブ、    
１１１・・・挿入孔、
１１２・・・接続部（第２接続部）、        
１１２１・・・筒孔（第２筒孔）、        
１１３・・・第１透孔、
１１４・・・第１定位ボール、    
１１５・・・嵌合溝、      
１１６・・・第１当接リング、
１２・・・可動環状ソケット、        
１２１・・・筒孔（第１筒孔）、        
１２２・・・第１ソケット内壁、
１２３・・・第２ソケット内壁、      
１２４・・・第２当接リング、    
１３・・・第１弾性部材、
２・・・外部工具接続アッセンブリ、
２１・・・接続ロッド、
２１１・・・後段、
２１２・・・前段、
２１３・・・第１当接壁、
２１４・・・第１支持部、
２１５・・・第２支持部、
２２・・・第２ジョイントスリーブ、
２２１・・・接続部（第１接続部）、
２２２・・・接続溝、
２２３・・・後溝部、
２２４・・・前溝部、
２２５・・・第２当接壁、
２２６・・・第２透孔、
２２７・・・第２定位ボール、
２３・・・第２弾性部材、
３・・・ビット、
３１・・・嵌合溝、
４・・・動力工具、
５・・・スリーブ、          
５１・・・係止溝、
５２・・・嵌合溝。
【図１】
0003180745.tif 000003
【図２】
0003180745.tif 000004
【図３】
0003180745.tif 000005
【図４】
0003180745.tif 000006
【図５】
0003180745.tif 000007
【図６】
0003180745.tif 000008
【図７】
0003180745.tif 000009